(57)【要約】      （修正有）【課題】帯を用いて吊り下げる方法を用いることなく、櫃の前面において佩楯を末広がりとなるように飾ることができる佩楯台を提供する。【解決手段】毛履を載せることができる佩楯台２１の上面には、側面形状が直角三角形である楔状の木片である一対の傾斜台２０３が、その上面における最も低い縁が相対するように、取り付けられている。各傾斜台２０３の上面には、その最大傾斜方向に直行する方向に、一対の突出部２０４ｃを突出させたフェンス２０４が固定されている。【選択図】図２
0003200699.tif 000002
【実用新案登録請求の範囲】
【請求項１】
平板状のベース板と、
前記ベース板の上面に対して傾斜した上面を有し前記ベース板に設けられた傾斜台と、
前記上面の最大傾斜線に直交する方向に並んで相対して、前記傾斜台の上面よりも上方に突出している一対の突出部と
を備えたことを特徴とする佩楯台。
【考案の詳細な説明】
【技術分野】
【０００１】
本考案は、歴史上の武具としての甲冑をモチーフとして室内の装飾用に作成される飾り甲冑構成する佩楯を鎧櫃の前面に立て掛けるための佩楯台に関する。
【背景技術】
【０００２】
我が国の歴史上、甲冑は、実戦においては武者の体に装着されて防具として機能するが、平時においては、その一式が鎧櫃に納められて保管される他、先祖や家督等の象徴として、あるいは、鑑賞の対象として、屋敷内に飾られることも多かった。その場合、甲冑の全体を展示するのに都合が良く、また、格好も良いので、鎧櫃の上にあたかも甲冑を装着した武者が座っているような形態を再現して飾られることが一般的であった。
【０００３】
このような歴史的事実に倣い、主として五月人形と称されて販売されている飾り甲冑も、歴史上の甲冑を構成する各装備を可能な限り正確に縮小して作製されたパーツから構成され、歴史上の甲冑と同様に、武者が装着して鎧櫃に座っているかのような形態で飾られている。その例を図4に示す。
【０００４】
鎧櫃１０は、横幅が奥行きよりも若干広い箱形形状を有しており、その上面をなす板が蓋１０ａとなっている。この蓋１０ａを上方に持ち上げると、櫃本体１０ｂが上方に開放して、その内部に甲冑を収納することができる。なお、鎧櫃１０底面の四隅には、それぞれ、鎧櫃１０の上面の高さを調整するための脚１０ｃが取り付けられており、これにより、鎧櫃１０の上面は、甲冑と同スケールである仮想的な武者の座高と同じ高さに、調整されている。
【０００５】
そして、図面では甲冑を構成するパーツ（胴３）によって隠されているが、鎧櫃１０の上面のほぼ中央には、武者の上半身に相当する十字架型のハンガー様の芯木（図示せず）が、立てられる。そして、芯木の上端には兜１が載せられ、忍びの緒１ａによって芯木（図示せず）に固定される。そして、兜１を被った武者の顔面に相当する間隙には、面頬２が吊り下げられ、その顎に当たる箇所からは、本来武者の喉を防御するためにデザインされた喉輪４が垂れ下がっている。
【０００６】
また、芯木（図示せず）の両腕には、受け緒と称される肩紐によって胴３が吊り下げられる。この胴３の左胸に相当する箇所には鳩尾板５が取り付けられ、胴３の右胸に相当する箇所には栴檀板６が取り付けられている。また、胴３の下縁近傍には、本来、胴３を武者の胴体に固定するためにデザインされた帯７が巻かれており、帯７によって隠された胴３の下縁には、本来武者の下腹部を防御するためにデザインされた３組の草摺（武者の前面中央に垂れ下がる前草摺８ａ，武者の左前側に垂れ下がる射向の草摺８ｂ，武者の右前側に垂れ下がる馬手の草摺８ｃ）が取り付けられている。
【０００７】
また、芯木の両腕先端には、本来武者の両腕を保護するためにデザインされた籠手９が掛けられ、あたかも武者の両手があるかのように垂れ下げられる。なお、籠手９の各先端には、本体武者の手の甲を保護するためにデザインされた手甲１１が縫い付けられている。そして、籠手９を外側から覆うように、胴３の左右の両肩から、それぞれ、本来武者の両肩及び脇を保護するためにデザインされた大袖１４が垂れ下げられる。
【０００８】
一方、鎧櫃１０の前面には、本来武者の両腿を保護するためにデザインされた一対の佩楯１２が、あたかも、武者の両足があるかのように、若干末広がりとなるように垂れ下げられている。この佩楯１２の固定方法は、以下の通りである。すなわち、一対の佩楯１２は、本来武者の腰から吊り下げられるので、それぞれの上縁は、本来武者の腰に巻くためにデザインされた帯１２ａに縫い付けられている。この帯１２ａが鎧櫃１０の上面の前縁に沿って配され、その両端が鎧櫃１０の上面から側面に巻かれて、蓋１０ａと本体１０ｂとの間に挟み込まれて固定される。この帯１２ａが中間部において下方に撓むことにより、上述したように、両佩楯１２が末広がりに吊り下がるのである。
【０００９】
なお、鎧櫃１０は、室内の事情に依り、床の間に置かれたり、ひな壇上に置かれたり、その他の場所に置かれたりする。そして、鎧櫃が置かれたひな壇等の上には、両佩楯１２の位置に合わせて、本来武者の足を保護するためにデザインされた一対の毛履１３が置かれる。
【００１０】
図示は省略したが、鎧櫃１０が置かれたひな壇等の上には、さらに、鎧櫃１０の向かって左隣に弓矢が置かれ、鎧櫃１０の向かって右隣に太刀が置かれ、これら鎧櫃１０，弓矢及び太刀の背後に屏風が置かれる。
【先行技術文献】
【特許文献】
【００１１】
【特許文献１】特開平１０−２７８４９６
【考案の概要】
【考案が解決しようとする課題】
【００１２】
しかしながら、近年の住宅事情及び小家族化の傾向により、飾り甲冑も、できるだけコンパクトに展示され、かつ、収納されることが求められるようになった。その結果、甲冑のパーツの他、弓矢，太刀及び屏風をも鎧櫃１０に収納でき、且つ、鎧櫃１０の上面に置けることが求められるようになったので、鎧櫃１０の横幅を従来のものよりも広くする必要が生じた。同様に、本体１０ｂの内部の深さも、従来のものよりも大きくする必要が生じたので、脚１０ｃが省略されて、本体１０ｂが厚くされ、本体１０ｂの底面が直接ひな壇等に接触するようにされた。このように変形された櫃１０は、もはや、歴史上の鎧櫃をスケールダウンしたものとは言いがたいので、一般には、「収納櫃」と称呼されている。
【００１３】
このように従来の鎧櫃１０よりも幅広となった収納櫃に、従来と同じように佩楯１２を固定しようとすると、帯１２ａが左右に長く敷設されることになるので、弓矢及び太刀を飾るのに邪魔となり、あたかも甲冑を装着した武者が座っているように見せるという目的に反して、見栄えが悪くなってしまう。
【００１４】
また、脚１０ｃを省略しても収納櫃の上面の高さが高くなってしまうので、ひな壇等の上に直接毛履１３を置くと、あたかも武者の脚が長くなったように見えてしまい、バランスを失する。
【００１５】
以上に鑑み、本考案の主たる課題は、帯を用いて吊り下げる方法を用いることなく、櫃の前面において佩楯を末広がりとなるように飾ることができる佩楯台の提供である。
【課題を解決するための手段】
【００１６】
本考案による佩楯台は、上記課題を解決するために、平板状のベース板と、前記ベース板の上面に対して傾斜した上面を有し前記ベース板に設けられた傾斜台と、前記上面の最大傾斜線に直交する方向に並んで相対して、前記傾斜台の上面よりも上方に突出している一対の突出部とを備えたことを、特徴とする。
【００１７】
前記傾斜台は、一個のベース板に対して一個のみ設けられていても良いし、一対の佩楯に対応して二個設けられても良い。後者の場合、二個の傾斜台の上面における最も低い箇所同士が最も近くなるように固定されれば、一対の佩楯を末広がりに保持することができる。前者の場合、一対の佩楯を飾るには、計二個の佩楯台が必要になる。
【００１８】
また、ベース板の上面における傾斜台の上面の最大傾斜線に直交する方向に存する部分に、毛履を載せるのに十分な広さを持たせれば、少なくともベース板の厚さ分は毛履の位置を高くすることができるので、櫃の高さが高過ぎる場合であってもバランスを取ることができる。もっとも、櫃の高さが高すぎない場合には、ベース板に毛履を載せる必要はないので、かかる部分を広く確保する必要はない。
【００１９】
ベース板は、直接、ひな壇等の上面に接しても良いが、ベース板の下面に、ベース板を嵩上げするための脚が取り付けられていても良い。後者の場合、脚の形状は、ベース板とは平面形状又は平面面積が異なる板であっても良いし、枠形状を有するものであっても良いし、下駄の歯状であっても良いし、三個以上の部品に分割されていても良い。
【００２０】
一対の突出部は、ピンであっても良いし、傾斜台の上面の最大傾斜方向と平行に立てられた板であっても良い。前者の場合、ピンの個数は全部で３個以上であることが望ましい。後者の場合、一対の突出部の間に置かれた佩楯に干渉しない位置で、一対の突出部同士が連結されていても良い。その場合、一枚の板をコの字状に曲折することによって一対の突出部が構成されても良い。また、一対の突出部は、ベース板に固定されていても良いし、傾斜台に固定されていても良い。
【考案の効果】
【００２１】
以上のように構成された本考案の佩楯台によると、傾斜台の上面の最大傾斜方向が櫃の前面と略平行となるように、佩楯台を櫃の前面に近接させて櫃と同じ面上に置き、一対の突出部の間に佩楯を挿入し、その下縁を傾斜台の上面に接触させて、その上縁近傍を櫃の前面に立て掛ける。これにより、佩楯の帯を用いることなく、佩楯を末広がりに飾ることができる。このとき、傾斜台の上面の最大傾斜方向に直交する方向への佩楯のズレは、各突出部によって規制されるので、傾斜台上から佩楯が落下したり、佩楯の向きがずれることはない。
【図面の簡単な説明】
【００２２】
【図１】実施例にかかる飾り甲冑の正面図
【図２】実施例にかかる佩楯台の正面図
【図３】佩楯台の斜視図
【図４】従来の飾り甲冑の正面図
【考案を実施するための形態】
【００２３】
以下、図面に基づいて、本考案による飾り甲冑の実施例を説明する。なお、本実施例の飾り甲冑を構成する各パーツ（兜１,面頬２，胴３，喉輪４，鳩尾板５，栴檀板６，帯７，草摺８，籠手９，手甲１１，佩楯１２,毛履１３，大袖１４）の形状，並びに、佩楯１２及び毛履１３を除く飾り甲冑の飾り方は従来のものと同じであるが、甲冑の形式（大鎧，当世鎧，等）によっては構成するパーツの種類及び形状に多少の相違があるところ、それらの異同については本考案の本質とは関わりが無いので、その説明を省略する。
【００２４】
図１に示すように、本実施例において、収納櫃２１は、甲冑の他、弓矢２２，太刀２３及び屏風２４を内部に収容し、且つ、その上面に飾れるように、図４に示した従来の鎧櫃１と比較して、幅が広く、脚１０ｃが省略されているにも拘わらず上面までの高さがより高い。そして、従来の鎧櫃１と同様に、収納櫃２１も、蓋２１ａを持ち上げることによって、その本体２１ｂを開けて、内部空間に甲冑等を収納できるようになっている。また、収納櫃２１の上面中央には、従来と同様に、甲冑のうち佩楯１２及び毛履１３以外の部分が飾られ、甲冑の向かって左には弓矢２２が、向かって右には太刀２３が立てられ、これら甲冑，弓矢２２及び太刀２３の背後には、屏風２４が立てられる。
【００２５】
一方、収納櫃２１が置かれているひな壇等の上面には、収納櫃２１の前面に接して、佩楯台２０が置かれている。この佩楯台２０は、図３の正面図及び図４の斜視図に示されるように、上面が長方形の板であるベース坂２０１と、ベース坂２０１の外周よりも一回り小さい木枠からなりベース坂２０１の底面に固着された脚２０２，ベース坂２０１の上面２０１ａ上に固定された一対の楔状の木片からなる傾斜台２０３，各傾斜台２０３の上面に夫々固定されたフェンス２０４から、構成されている。
【００２６】
各傾斜台２０３は、その底面２０３ａが長方形であり且つベース坂２０１の上面２０１ａに面接触し、その底面２０３ａの長手方向と最大傾斜方向とが平行となり且つ一端において底面２０３ａと接するように傾斜した長方形の上面２０３ｂを有するために、側面形状が直角三角形状である楔端の木片である。そして、一対の傾斜台２０３は、それぞれ、ベース板２０１の上面２０１ａにおける長手方向と平行に、また、ベース板２０１の上面２１０ａにおける一方の長辺との間に比較的狭い隙間を空けるとともに他方の長辺との間には比較的広い隙間を空け、さらに、夫々の上面２０３ｂと底面２０３ａが接する縁同士が向き合うように、ベース板２０１の上面２０１ａ上に固定されている。
【００２７】
フェンス２０４は、長方形の底部２０４ａの四辺のうち一方の短辺から直方形状の突出部２０４ｂ，一対の長辺から夫々略台形状の突出部２０４ｃが突出した形状の部品を金属板から打ち抜き、底部２０４ａをなす長方形の三辺をそれぞれ直角に折り曲げることにより、形成されている。そして、底部２０４ａをなす長方形の長手方向が傾斜台２０３の上面２０３ｂの長手方向（最大傾斜方向）と一致し、かつ、突出部２０４ｂが傾斜台２０３の上面２０３ｂにおける高い側の縁に近接する状態で、底部２０４ａが傾斜台２０３の上面２０３ｂと面接触している。その結果、底部２０４ａの長辺から突出する一対の突出部２０４ｃは、傾斜台２０３の上面２０３ｂにおける最大傾斜方向に直行する方向において、佩楯１２の厚さよりも若干広い隙間を空けて並んでいる。そして、傾斜台２０３の上面２０３ｂと底面２０３ａとが接する縁とフェンス２０４の突出部２０４ｂとの間の距離は、佩楯１２の幅とほぼ一致している。
【００２８】
ベース坂２１の上面２０１ａにおける傾斜台２０３と比較的離間している長辺との間の距離は、毛履１３の底の長さとほぼ同じであるので、ベース坂２１の上面２０１ａの上に、一対の毛履１３を置くことができる。なお、脚２０２の厚さは、ベース坂２０１の上面２０１ａ上に置かれた毛履１３と収納櫃２１の上面との距離が、甲冑と同スケールであると仮想される武者の座高と整合するように、調整されている。
【００２９】
以上のように構成された本実施例による佩楯台２０を用いた飾り甲冑では、上述したように、甲冑の上半身，弓矢２２，太刀２３及び屏風２４が収納櫃２０の上に飾られる一方で、上述したように、佩楯台２０が収納櫃２１の前面に接するように、配置される。そして、各佩楯１２の下縁における外側の隅が、フェンス２０４における一対の突出部２０４ｃの間に挿入され、長方形の突出部２０４ｂの内面に接触した状態で、各佩楯１２の下縁が、傾斜台２０３の上面２０３ｂ及びフェンス２０４の底部２０４ａの上に置かれる。そして、各佩楯１２の上縁が収納櫃２１の前面に立て掛けられることにより、帯１２ａを用いて吊り下げることなく、各佩楯１２が安定的に保持される。なお、利用されない帯１２ａは、前摺８ａ〜８ｃの裏に隠される。
【００３０】
このとき、上述したように、佩楯台２１の脚２０２の厚さが調整されているので、佩楯１２及び毛履１３の高さは、甲冑と同スケールであると仮想される武者の座高と整合し、バランスを失することがない。
【産業上の利用可能性】
【００３１】
本考案は、飾り甲冑を製造する産業で利用される。  
【符号の説明】
【００３２】
１２    佩楯
１３    毛履
２０    佩楯台
２０１    ベース坂
２０３    傾斜台
２０４    フェンス
２０４ｃ  突出部
【図１】
0003200699.tif 000003
【図２】
0003200699.tif 000004
【図３】
0003200699.tif 000005
【図４】
0003200699.tif 000006